(57)【要約】【課題】入力バッファー及びそのノイズ除去方法を提供する。【解決手段】本発明の入力バッファーは、ノイズセンサと、第１段フォロワ回路と、減算器とを備える。第１段フォロワ回路の共通端子はノイズセンサに接続され、第１バイアス電流源は第１段フォロワ回路の出力端子に接続されると共に第１ノイズ電流を発生させる。減算器は第１段フォロワ回路及びノイズセンサに接続される。ノイズセンサにより第１ノイズ電流が検知され、且つ、減算器が発生させたノイズ除去電流により第１ノイズ電流が発生させるノイズが除去される。【選択図】図２
2019075772.tif 000002
【特許請求の範囲】
【請求項１】
ノイズセンサと、
その共通端子が前記ノイズセンサに接続され、その出力端子が第１バイアス電流源に接続されると共に、前記第１バイアス電流源により第１ノイズ電流が発生する第１段フォロワ回路と、
前記第１段フォロワ回路及び前記ノイズセンサに接続される減算器と、
を備え、
前記ノイズセンサにより前記第１ノイズ電流が検知され、且つ、前記減算器が発生させたノイズ除去電流により前記第１ノイズ電流が発生させたノイズが除去されることを特徴とする、入力バッファー。
【請求項２】
前記ノイズセンサは、前記第１ノイズ電流を検知すると第１電圧を発生させ、前記減算器により前記第１電圧が前記ノイズ除去電流に変換されることを特徴とする、請求項１に記載の入力バッファー。
【請求項３】
前記第１ノイズ電流は、前記第１段フォロワ回路の出力端子で第１ノイズ電圧を発生させ、前記ノイズ除去電流は、前記減算器の出力端子でノイズ除去電圧を発生させて前記第１ノイズ電圧を除去させることを特徴とする、請求項２に記載の入力バッファー。
【請求項４】
前記減算器の出力端子は第２バイアス電流源に接続され、前記第２バイアス電流源により第２ノイズ電流が発生することを特徴とする、請求項１に記載の入力バッファー。
【請求項５】
前記ノイズセンサにより前記第２ノイズ電流が検知され、且つ、前記減算器が発生させるノイズ抑制電流により、前記第２ノイズ電流が発生させたノイズが抑制されることを特徴とする、請求項４に記載の入力バッファー。
【請求項６】
前記ノイズセンサは、前記第２ノイズ電流を検知すると第２電圧を発生させ、前記減算器により前記第２電圧が前記ノイズ抑制電流に変換されることを特徴とする、請求項５に記載の入力バッファー。
【請求項７】
前記第２ノイズ電流は、前記減算器の出力端子で第２ノイズ電圧を発生させ、前記ノイズ抑制電流は、前記減算器の出力端子でノイズ抑制電圧を発生させて前記第２ノイズ電圧を抑制することを特徴とする、請求項６に記載の入力バッファー。
【請求項８】
前記ノイズセンサの入力端は動作電圧源に接続されることを特徴とする、請求項５に記載の入力バッファー。
【請求項９】
前記ノイズセンサは第１インピーダンス及び前記第１インピーダンスに直列接続される第２インピーダンスを備えることを特徴とする、請求項８に記載の入力バッファー。
【請求項１０】
前記第１インピーダンスの一端は前記ノイズセンサの第１検知端とし、前記第１インピーダンスの他端は前記第２インピーダンスの一端に接続されると共に前記ノイズセンサの第２検知端とし、前記第２インピーダンスの他端は前記ノイズセンサの入力端とすることを特徴とする、請求項９に記載の入力バッファー。
【請求項１１】
前記第１段フォロワ回路の入力端は入力電圧源に接続され、前記第１段フォロワ回路の共通端子は前記ノイズセンサの前記第１検知端に接続されることを特徴とする、請求項１０に記載の入力バッファー。
【請求項１２】
前記減算器は第２段フォロワ回路及びトランスコンダクタを備えることを特徴とする、請求項１１に記載の入力バッファー。
【請求項１３】
前記第２段フォロワ回路の共通端子は前記ノイズセンサの前記第２検知端に接続され、前記第２段フォロワ回路の出力端子は前記第２バイアス電流源に接続され、前記第２段フォロワ回路の入力端は前記第１段フォロワ回路の出力端子及び前記第１バイアス電流源に接続されることを特徴とする、請求項１２に記載の入力バッファー。
【請求項１４】
前記トランスコンダクタの入力端は前記ノイズセンサの前記第１検知端及び前記第１段フォロワ回路の共通端子に接続され、前記トランスコンダクタの出力端子は前記第２段フォロワ回路の出力端子及び前記第２バイアス電流源に接続されることを特徴とする、請求項１３に記載の入力バッファー。
【請求項１５】
前記第１段フォロワ回路及び前記第２段フォロワ回路はエミッタフォロワまたはソースフォロワであることを特徴とする、請求項１４に記載の入力バッファー。
【請求項１６】
前記第１段フォロワ回路の共通端子は前記ノイズセンサの前記第１検知端に接続されることを特徴とする、請求項１０に記載の入力バッファー。
【請求項１７】
前記減算器は第２段フォロワ回路及びトランスコンダクタを備えることを特徴とする、請求項１６に記載の入力バッファー。
【請求項１８】
前記第２段フォロワ回路の共通端子は前記ノイズセンサの前記第２検知端に接続され、前記第２段フォロワ回路の出力端子は前記第１段フォロワ回路の入力端及び前記第２バイアス電流源に接続され、前記第２段フォロワ回路の入力端は入力電圧源に接続されることを特徴とする、請求項１７に記載の入力バッファー。
【請求項１９】
前記トランスコンダクタの入力端及び前記第１段フォロワ回路の共通端子は前記ノイズセンサの前記第１検知端に接続され、前記トランスコンダクタの出力端子は前記第２段フォロワ回路の出力端子及び前記第２バイアス電流源に接続されることを特徴とする、請求項１８に記載の入力バッファー。
【請求項２０】
前記第１段フォロワ回路及び前記第２段フォロワ回路はエミッタフォロワまたはソースフォロワであることを特徴とする、請求項１９に記載の入力バッファー。
【請求項２１】
入力バッファーに用いられるノイズ除去方法であって、
ノイズセンサにより、第１段フォロワ回路の出力端子に接続される第１バイアス電流源が発生させる第１ノイズ電流が検知されるステップと、
減算器により、前記第１ノイズ電流がノイズ除去電流に変換されるステップと、
前記ノイズ除去電流により、前記第１ノイズ電流が発生させるノイズが除去されるステップと、
を含むことを特徴とする、ノイズ除去方法。
【請求項２２】
前記ノイズセンサにより、前記第１段フォロワ回路の出力端子に接続される前記第１バイアス電流源が発生させる前記第１ノイズ電流が検知されるステップ、及び、前記減算器により、前記第１ノイズ電流が前記ノイズ除去電流に変換されるステップは、
前記ノイズセンサが前記第１ノイズ電流を検知して第１電圧を発生させるステップと、
前記減算器により、前記第１電圧がノイズ除去電流に変換されるステップと、
をそれぞれ更に含むことを特徴とする、請求項２１に記載のノイズ除去方法。
【請求項２３】
前記減算器により、前記第１電圧が前記ノイズ除去電流に変換されるステップは、
前記ノイズ除去電流が前記減算器の出力端子で発生させるノイズ除去電圧により、前記第１ノイズ電流が前記第１段フォロワ回路の出力端子で発生させる第１ノイズ電圧が除去されるステップを更に含むことを特徴とする、請求項２２に記載のノイズ除去方法。
【請求項２４】
前記ノイズセンサにより、前記減算器の出力端子に接続される第２バイアス電流源が発生させる第２ノイズ電流が検知されるステップと、
前記減算器により、前記第２ノイズ電流がノイズ抑制電流に変換されるステップと、
前記ノイズ抑制電流により、前記第２ノイズ電流が発生させるノイズが抑制されるステップと、
を更に含むことを特徴とする、請求項２１に記載のノイズ除去方法。
【請求項２５】
前記ノイズセンサにより、前記減算器の出力端子に接続される前記第２バイアス電流源が発生させる前記第２ノイズ電流が検知されるステップ、及び、前記減算器により、前記第２ノイズ電流が前記ノイズ抑制電流に変換されるステップは、
前記ノイズセンサが前記第２ノイズ電流を検知して第２電圧を発生させるステップと、
前記減算器により前記第２電圧が前記ノイズ抑制電流に変換されるステップと、
をそれぞれ更に含むことを特徴とする、請求項２４に記載のノイズ除去方法。
【請求項２６】
前記減算器により前記第２電圧が前記ノイズ抑制電流に変換されるステップは、
前記ノイズ抑制電流が前記減算器の出力端子で発生させるノイズ抑制電圧により、前記第２ノイズ電流が前記減算器の出力端子で発生させる第２ノイズ電圧が抑制されるステップを更に含むことを特徴とする、請求項２５に記載のノイズ除去方法。
【請求項２７】
前記ノイズセンサは第１インピーダンス及び前記第１インピーダンスに直列接続される第２インピーダンスを備えることを特徴とする、請求項２１に記載のノイズ除去方法。
【請求項２８】
前記減算器は第２段フォロワ回路及びトランスコンダクタを備えることを特徴とする、請求項２１に記載のノイズ除去方法。
【請求項２９】
第１段フォロワ回路及び前記第２段フォロワ回路はエミッタフォロワまたはソースフォロワであることを特徴とする、請求項２１に記載のノイズ除去方法。
【発明の詳細な説明】
【技術分野】
【０００１】
本発明は、入力バッファーに関し、更に詳しくは、ノイズを有効的に除去可能な入力バッファーに関する。また、本発明は、この入力バッファーのノイズ除去方法に関する。
【背景技術】
【０００２】
測定対象物及び測定機器を有効的に隔離するため、測定機器（例えば、オシロスコープなど）は通常前端に高インピーダンスを有する入力バッファーが設置される。入力バッファーは良好な隔離性を提供しなければならないほか、測定機器の帯域幅に影響を与えてもいけない。
【０００３】
また、バッファーは測定機器の前端に位置されるため、ノイズも重要なパラメーターとなる。入力バッファーのノイズが高ければ、これらのノイズが全て測定機器の出力端子に直接作用し、測定機器のＳＮ比（SNR）が大幅に低下した。
【０００４】
一般的には、高い隔離性を有する入力バッファーには２段のソースフォロワが直列接続される構造が採用される。図１は従来の入力バッファーを示す概略図である。入力バッファー１は第１段回路１１及び第２段回路１２を備え、第１段回路１１は第１段フォロワ回路Ｍ１及び第１バイアス電流源Ａ１を含み、第２段回路１２は第２段フォロワ回路Ｍ２及び第２バイアス電流源Ａ２を含む。
【０００５】
第１バイアス電流源Ａ１及び第２バイアス電流源Ａ２により第１ノイズ電流Ｉｎ１及び第２ノイズ電流Ｉｎ２がそれぞれ発生する。よって、入力バッファー１の出力端子ＶｏｕｔのノイズＶｎｔは下述の式（１）として示す。
Ｖｎｔ２＝（Ｉｎ１２＋ＩｎＭ１２）ｚ１２＋（Ｉｎ２２＋ＩｎＭ２２）ｚ２２……（１）
【０００６】
Ｖｎｔは入力バッファー１の出力端子Ｖｏｕｔのノイズを示す。Ｉｎ１は第１バイアス電流源Ａ１の第１ノイズ電流を示す。Ｉｎ２は第２バイアス電流源Ａ２の第２ノイズ電流を示す。ＩｎＭ１は第１段フォロワ回路Ｍ１事態のノイズ電流を示す。ＩｎＭ２は第２段フォロワ回路Ｍ２自体のノイズ電流を示す。ｚ１は第１段フォロワ回路Ｍ１の出力インピーダンスを示す。ｚ２は第２段フォロワ回路Ｍ２の出力インピーダンスを示す。
【０００７】
上述のように、入力バッファー１のノイズは主に第１段フォロワ回路Ｍ１自体からのノイズＩｎＭ１、第２段フォロワ回路Ｍ２自体からノイズＩｎＭ２、第１バイアス電流源Ａ１の第１ノイズ電流Ｉｎ１、及び第２バイアス電流源Ａ２の第２ノイズ電流Ｉｎ１から発生する。以上のノイズが有効的に除去されないため、測定機器の出力端子に直接作用してしまう。また、１段のソースフォロワ構造に比べ、２段のソースフォロワ直列接続構造が採用される入力バッファー１では出力ノイズが倍加した。
【発明の概要】
【発明が解決しようとする課題】
【０００８】
ノイズを有効的に低下させるため、一部の従来の入力バッファーでは低ノイズの抵抗バイアス回路またはソースデジェネレーションバイアス回路が採用されている。しかしながら、上述の回路構造には高い動作電圧が必要であり、低電圧の集積回路プロセスには不適格である。このため、個別部材を採用せねばならず、測定機器の帯域幅に多大な影響が及んだ。
【０００９】
そこで、本発明者は上記の欠点が改善可能と考え、即ち、従来の入力バッファーの様々な欠点を有効的に改善させるため、鋭意検討を重ねた結果、合理的設計で上記の課題を効果的に改善する本発明の入力バッファーの提案に到った。
【００１０】
本発明は、以上の従来技術の課題を解決する為になされたものである。即ち、本発明の目的は、入力バッファー及びそのノイズ除去方法を提供することである。即ち、従来の入力バッファーの様々な問題を解決させる。
【００１１】
また、本発明の他の目的は、入力バッファーを提供することである。
【００１２】
なお、本発明のさらなる他の目的は、入力バッファーに用いられるノイズ除去方法を提供することである。
【課題を解決するための手段】
【００１３】
上述した課題を解決し、目的を達成するために、本発明に係る入力バッファーの特徴は、ノイズセンサと、第１段フォロワ回路と、減算器とを備える。第１段フォロワ回路の共通端子はノイズセンサに接続され、第１バイアス電流源は第１段フォロワ回路の出力端子に接続されると共に第１ノイズ電流を発生させる。減算器は第１段フォロワ回路及びノイズセンサに接続される。ノイズセンサにより第１ノイズ電流が検知されると第１ノイズ電流により発生するノイズが除去される。
【００１４】
さらに、本発明に係るノイズ除去方法の特徴は、ノイズセンサにより第１段フォロワ回路の出力端子に接続される第１バイアス電流源が発生させる第１ノイズ電流が検知されるステップと、減算器により第１ノイズ電流がノイズ除去電流に変換されるステップと、ノイズ除去電流が減算器の出力端子に供給されることによりノイズ除去電圧が発生し、第１ノイズ電流が発生させるノイズが除去されるステップとを含む。
【発明の効果】
【００１５】
上述したように、本発明の入力バッファー及びノイズ除去方法によれば、１つまたは複数の下述の長所を有する。
（１）本発明の好適な実施形態では、入力バッファーはノイズセンサにより第１段回路のバイアス電流源が発生させるノイズが検知され、且つ減算器により上述のノイズが除去される。これにより、入力バッファーから出力されるノイズが有効的に低下し、測定機器のＳＮ比が上昇する。
（２）本発明の好適な実施形態では、入力バッファーはノイズセンサにより第２段回路のバイアス電流源が発生させるノイズの検知を行い、且つ減算器により上述のノイズが抑制される。これにより、入力バッファーから出力されるノイズが有効的に低下し、測定機器のＳＮ比が更に上昇する。
（３）本発明の好適な実施形態では、入力バッファーの減算器によりノイズが有効的に除去されるのみならず、入力バッファー及び第２段回路が統合されて直接入力バッファーの第２段回路とすることにより、入力バッファーのコストが効果的に削減される。
（４）本発明の好適な実施形態では、入力バッファーの駆動には高い動作電圧が不要であり、よって低電圧の集積回路プロセスに適用可能となり、入力バッファーのコストが更に低下する。
（５）本発明の好適な実施形態では、入力バッファーの駆動には高い動作電圧が不要である。よって、個別部材を採用することによる測定機器の帯域幅の低下も起こらず、測定機器が好ましい効果を達成させる。
（６）本発明の好適な実施形態では、入力バッファーには２段の回路が直列接続される隔離構造が採用される。これにより、良好な隔離性が提供され、測定機器の効果が更に向上する。
【図面の簡単な説明】
【００１６】
【図１】従来の入力バッファーを示す概略図である。
【図２】本発明の第１実施形態による入力バッファーを示す回路図である。
【図３】本発明の第１実施形態を示すフローチャートである。
【図４】本発明の第２実施形態による入力バッファーを示す回路図である。
【図５Ａ】本発明の第３実施形態による入力バッファーを示す回路図である。
【図５Ｂ】本発明の第３実施形態による入力バッファー回路を示す概略図（一）である。
【図５Ｃ】本発明の第３実施形態による入力バッファー回路を示す概略図（二）である。
【図６】本発明の第４実施形態による入力バッファーを示す回路図である。
【図７Ａ】本発明の第５実施形態による入力バッファーを示す回路図である。
【図７Ｂ】本発明の第５実施形態による入力バッファー回路を示す概略図（一）である。
【図７Ｃ】本発明の第５実施形態による入力バッファー回路を示す概略図（二）である。
【図８】本発明の第６実施形態による入力バッファーを示す回路図である。
【図９】本発明の第７実施形態による入力バッファーを示す回路図である。
【図１０】本発明の第８実施形態による入力バッファーを示す回路図である。
【図１１】本発明の第９実施形態による入力バッファーを示す回路図である。
【発明を実施するための形態】
【００１７】
以下、図面を参照して本発明に係る入力バッファー及びそのノイズ除去方法の実施形態について説明する。尚、以下に説明する実施の形態は、特許請求の範囲に記載された本発明の内容を限定するものではない。また、以下に説明される構成の全てが、本発明の必須要件であるとは限らない。ちなみに、以下の描写及び／或いは特許出願範囲において、部材が他の部材に「接続」または「結合」されるとは、前記他の部材に直接接続または結合されるか、或いは仲介部材が存在することを指す。部材が他の部材に「直接接続」または「直接結合」されるとは、仲介部材が存在せず、部材または層の間の関係を描写する他の語彙と同じように解釈する。理解を促すために、下述の実施形態では同じ部材については同じ符号で標示して説明する。
（実施例１）
【００１８】
図２は本発明の第１実施形態による入力バッファーを示す回路図である。入力バッファー２はノイズセンサ２３と、第１段回路２１と、第２段回路２２とを備える。第１段回路２１は第１段フォロワ回路Ｍ１及び第１バイアス電流源Ａ１を含む。第１段フォロワ回路Ｍ１のドレイン（共通端子）がノイズセンサ２３に接続され、第１バイアス電流源Ａ１は第１段フォロワ回路Ｍ１のソース（出力端子）に接続されると共に第１ノイズ電流Ｉｎ１を発生させ、第１ノイズ電流Ｉｎ１は第１段フォロワ回路Ｍ１のソースで第１ノイズ電圧を発生させる。本実施形態では、第１段フォロワ回路Ｍ１はソースフォロワである。他の実施形態では、第１段フォロワ回路Ｍ１はエミッタフォロワである。
【００１９】
第２段回路２２は減算器Ｓを備える。減算器Ｓの２つの入力端は第１段フォロワ回路Ｍ１及びノイズセンサ２３にそれぞれ接続される。ノイズセンサ２３により第１ノイズ電流Ｉｎ１が検知されると共に第１電圧が発生する。減算器Ｓにより第１電圧がノイズ除去電流に変換され、且つノイズ除去電流が減算器Ｓの出力端子に供給される。このため、ノイズ除去電流により減算器Ｓの出力端子でノイズ除去電圧が発生し、第１ノイズ電圧が除去される。
【００２０】
上述したように、入力バッファー２はノイズセンサ２３により第１段回路２１の第１バイアス電流源Ａ１が発生させた第１ノイズ電流Ｉｎ１の検知を行い、且つ減算器Ｓにより第１ノイズ電流Ｉｎ１が除去される。これにより、入力バッファー２から出力されるノイズが有効的に低下し、測定機器のＳＮ比が上昇する。
【００２１】
当然ながら、本実施形態は説明のための例示にすぎず、入力バッファー２の構造及び各部材の機能は実際の需要に応じて改変可能であり、本発明では制限されない。
【００２２】
図３は本発明の第１実施形態を示すフローチャートである。本実施形態の入力バッファー２のノイズ除去方法は以下の各ステップを含む。
【００２３】
ステップＳ３１において、ノイズセンサにより第１段フォロワ回路の出力端子に接続される第１バイアス電流源で発生する第１ノイズ電流が検知される。
【００２４】
ステップＳ３２において、減算器により第１ノイズ電流がノイズ除去電流に変換される。
【００２５】
ステップＳ３３において、ノイズ除去電流により第１ノイズ電流が発生させるノイズが除去される。
（実施例２）
【００２６】
図４は本発明の第２実施形態による入力バッファーを示す回路図である。入力バッファー２はノイズセンサ２３と、第１段回路２１と、第２段回路２２とを備える。
【００２７】
ノイズセンサ２３は第１インピーダンスＺ１を備える。第１インピーダンスＺ１の一端はノイズセンサ２３の検知端とし、第１インピーダンスＺ１の他端はノイズセンサ２３の入力端とし、且つ動作電圧源Ｖｃｃに接続される。好ましい実施形態において、第１インピーダンスＺ１は抵抗、インダクタ及びキャパシタの内の１つ或いは２つ以上の結合である。
【００２８】
第１段回路２１は第１段フォロワ回路Ｍ１及び第１バイアス電流源Ａ１を備える。第１段フォロワ回路Ｍ１はソースフォロワである。第１段フォロワ回路Ｍ１のゲート（入力端）は入力電圧源Ｖｉｎに接続され、第１段フォロワ回路Ｍ１のドレイン（共通端子）はノイズセンサ２３の検知端に接続され、第１段フォロワ回路Ｍ１のソース（出力端子）は第１バイアス電流源Ａ１に接続される。
【００２９】
第２段回路２２は減算器であり、第２段フォロワ回路Ｍ２と、第２バイアス電流源Ａ２と、トランスコンダクタＧとを備える。第２段フォロワ回路Ｍ２はソースフォロワである。第２段フォロワ回路Ｍ２のゲート（入力端）は第１段フォロワ回路Ｍ１の出力端子及び第１バイアス電流源Ａ１に接続され、第２段フォロワ回路Ｍ２のソース（出力端子）は第２バイアス電流源Ａ２に接続される。トランスコンダクタＧの入力端はノイズセンサ２３の検知端及び第１段フォロワ回路Ｍ１のドレインに接続され、トランスコンダクタＧの出力端子は第２段フォロワ回路Ｍ２のソース及び第２バイアス電流源Ａ２に接続される。
【００３０】
第１バイアス電流源Ａ１により第１ノイズ電流Ｉｎ１が発生し、第１ノイズ電流Ｉｎ１により第１段フォロワ回路Ｍ１のソースで第１ノイズ電圧が発生し、ノイズセンサ２３は第１ノイズ電流Ｉｎ１を検知すると共にノイズセンサ２３の検知端で第１電圧を発生させる。
【００３１】
トランスコンダクタＧにより第１電圧がノイズ除去電流に変換され、且つノイズ除去電流が第２段フォロワ回路Ｍ２のソースに供給され、第２段フォロワ回路Ｍ２のソースでノイズ除去電圧が発生する。
【００３２】
よって、適切な第１インピーダンスＺ１及びトランスコンダクタＧが選択されると、ノイズ除去電圧により第１ノイズ電圧が完全に除去される。
（実施例３）
【００３３】
図５Ａは本発明の第３実施形態による入力バッファーを示す回路図である。入力バッファー２はノイズセンサ２３と、第１段回路２１と、第２段回路２２とを備える。ノイズセンサ２３は第１インピーダンスＺ１及び第２インピーダンスＺ２を含む。第１インピーダンスＺ１は第２インピーダンスＺ２に直列接続される。第１インピーダンスＺ１の一端はノイズセンサ２３の第１検知端とし、第１インピーダンスＺ１の他端は第２インピーダンスＺ２の一端に接続されると共にノイズセンサ２３の第２検知端とし、第２インピーダンスＺ２の他端はノイズセンサの入力端とし、動作電圧源Ｖｃｃに接続される。好ましい実施形態において、第１インピーダンスＺ１及び第２インピーダンスＺ２は抵抗、インダクタ及びキャパシタの内の１つ或いは２つ以上の結合である。
【００３４】
第１段回路２１は第１段フォロワ回路Ｍ１及び第１バイアス電流源Ａ１を備える。第１段フォロワ回路Ｍ１はソースフォロワである。第１段フォロワ回路Ｍ１のゲート（入力端）は入力電圧源Ｖｉｎに接続され、第１段フォロワ回路Ｍ１のドレイン（共通端子）はノイズセンサ２３の第１検知端に接続され、第１段フォロワ回路Ｍ１のソース（出力端子）は第１バイアス電流源Ａ１に接続される。
【００３５】
第２段回路２２は減算器であり、第２段フォロワ回路Ｍ２と、第２バイアス電流源Ａ２と、トランスコンダクタＧとを備える。第２段フォロワ回路Ｍ２はソースフォロワである。第２段フォロワ回路Ｍ２のドレイン（共通端子）はノイズセンサ２３の第２検知端に接続され、第２段フォロワ回路Ｍ２のゲート（入力端）は第１段フォロワ回路Ｍ１の出力端子及び第１バイアス電流源Ａ１に接続され、第２段フォロワ回路Ｍ２のソース（出力端子）は第２バイアス電流源Ａ２に接続される。トランスコンダクタＧの入力端はノイズセンサ２３の第１検知端及び第１段フォロワ回路Ｍ１のドレインに接続され、トランスコンダクタＧの出力端子は第２段フォロワ回路Ｍ２のソース及び第２バイアス電流源Ａ２に接続される。
【００３６】
図５Ｂは本発明の第３実施形態による入力バッファー回路を示す概略図（一）である。第１バイアス電流源Ａ１により第１ノイズ電流Ｉｎ１が発生し、第１ノイズ電流Ｉｎ１により第１段フォロワ回路Ｍ１のソースで第１ノイズ電圧Ｖ１が発生し、ノイズセンサ２３は第１ノイズ電流Ｉｎ１を検知すると共にノイズセンサ２３の第１検知端で第１電圧Ｖｙ１を発生させる。第１ノイズ電圧Ｖ１及び第１電圧Ｖｙ１は下述の式（２）及び式（３）として示す。
Ｖ１＝Ｉｎ１ｚ１………………………（２）
Ｖｙ１＝Ｖｘ＋Ｉｎ１Ｚ１……………（３）
【００３７】
Ｖ１は第１ノイズ電圧を示す。Ｉｎ１は第１ノイズ電流を示す。Ｖｙ１はノイズセンサ２３の第１検知端の電圧（即ち、第１電圧）を示す。Ｖｘはノイズセンサ２３の第２検知端の電圧を示す。ｚ１は第１段フォロワ回路Ｍ１の出力インピーダンスを示す。Ｚ１は第１インピーダンスＺ１のインピーダンスを示す。
【００３８】
ノイズセンサ２３の第２検知端の電圧Ｖｘは下述の式（４）として示す。
Ｖｘ＝ＩｘＺ２……………………………（４）
Ｉｘは第２インピーダンスＺ２を流れる電流を示す。Ｚ２は第２インピーダンスＺ２のインピーダンスを示す。
【００３９】
トランスコンダクタＧにより第１電圧Ｖｙ１がノイズ除去電流Ｉｙ１に変換され、且つノイズ除去電流Ｉｙ１が第２段フォロワ回路Ｍ２のソースに負帰還され、第２段フォロワ回路Ｍ２のソースでノイズ除去電圧Ｖｃが発生する。
【００４０】
ノイズ除去電流Ｉｙ１及びノイズ除去電圧Ｖｃは下述の式（５）及び式（６）で表示する
Ｉｙ１＝-ｇｍＶｙ１…………………………………（５）
Ｖｃ＝Ｉｙ１ｚ２……………………………………（６）
Ｉｙ１はノイズ除去電流を示す。-ｇｍはトランスコンダクタＧのトランスコンダクタンスを示す。Ｖｃはノイズ除去電圧を示す。ｚ２は第２段フォロワ回路Ｍ２の出力インピーダンスを示す。
【００４１】
式（５）に基づいて、第２インピーダンスＺ２を流れる電流Ｉｘを下述の式（７）で表示する
Ｉｘ＝Ｉｎ１-ｇｍＶｙ１…………………………（７）
【００４２】
式（３）、式（４）及び式（７）に基づいて、第１電圧Ｖｙ１を下述の式（８）として示す。
Ｖｙ１＝（Ｉｎ１-ｇｍＶｙ１）Ｚ２＋Ｉｎ１Ｚ１＝Ｉｎ１（Ｚ１＋Ｚ２）-ｇｍＺ２Ｖｙ１＝Ｉｎ１（Ｚ１＋Ｚ２）／（１＋ｇｍＺ２）………（８）
【００４３】
式（５）及び式（８）に基づいて、ノイズ除去電流Ｉｙ１を下述の式（９）として示す。
Ｉｙ１＝-ｇｍＩｎ１（Ｚ１＋Ｚ２）／（１＋ｇｍＺ２）……（９）
【００４４】
式（６）及び式（９）に基づいて、ノイズ除去電圧Ｖｃを下述の式（１０）として示す。
Ｖｃ＝-ｇｍ  Ｉｎ１（Ｚ１＋Ｚ２）ｚ２／（１＋ｇｍＺ２）……（１０）
【００４５】
上述のように、第１バイアス電流源Ａ１の第１ノイズ電流Ｉｎ１のみを考慮し、入力バッファー２の出力端子のノイズ電圧Ｖｎは下述の式（１１）として示す。
Ｖｎ＝Ｖ１＋Ｖｃ＝［ｚ１-ｇｍ（Ｚ１＋Ｚ２）ｚ２／（１＋ｇｍＺ２）］Ｉｎ１……（１１） 
【００４６】
よって、適切な第１インピーダンスＺ１、第２インピーダンスＺ２及びトランスコンダクタＧが選択されると、ノイズ電圧Ｖｎが０に等しくなり、ノイズ除去電圧Ｖｃにより第１ノイズ電圧Ｖ１が完全に除去される。
【００４７】
図５Ｃは本発明の第３実施形態による入力バッファー回路を示す概略図（二）である。第２バイアス電流源Ａ２により第２ノイズ電流Ｉｎ２が発生し、且つ第２段フォロワ回路Ｍ２のソースから第２ノイズ電圧Ｖ２が発生し、ノイズセンサ２３は第２ノイズ電流Ｉｎ２を検知すると共にノイズセンサ２３の第１検知端で第２電圧Ｖｙ２を発生させる。第２ノイズ電圧Ｖ２及び第２電圧Ｖｙ２は下述の式（１２）及び式（１３）として示す。
Ｖ２＝Ｉｎ２ｚ２……………………………（１２）
Ｖｙ２＝Ｖｘ＝ＩｘＺ２………………………（１３）
Ｖ２は第２ノイズ電圧を示す。Ｉｎ２は第２ノイズ電流を示す。Ｖｙ２はノイズセンサ２３の第１検知端の電圧（即ち、第２電圧）を示す。Ｖｘはノイズセンサ２３の第２検知端の電圧を示す。ｚ２は第２段フォロワ回路Ｍ２の出力インピーダンスを示す。Ｚ２は示第２インピーダンスＺ２のインピーダンスを示す。
【００４８】
ノイズ抑制電流Ｉｙ２及びノイズ抑制電圧Ｖｒは下述の式（１４）及び式（１５）として示す。
Ｉｙ２＝-ｇｍＶｙ２…………………………（１４）
Ｖｒ＝Ｉｙ２ｚ２……………………………（１５）
式（１４）に基づいて、第２段フォロワ回路Ｍ２及び第２インピーダンスＺ２を流れる電流Ｉｘは下述の式（１６）として示す。
Ｉｘ＝Ｉｎ２-ｇｍＶｙ２………………………（１６）
【００４９】
式（１３）及び式（１４）に基づいて、第２電圧Ｖｙ２は下述の式（１７）として示す。
Ｖｙ２＝Ｖｘ＝（Ｉｎ２-ｇｍＶｙ２）Ｚ２＝Ｉｎ２Ｚ２-ｇｍＺ２Ｖｙ２＝Ｉｎ２Ｚ２／（１＋ｇｍＺ２）………………（１７）
【００５０】
式（１４）及び式（１７）に基づいて、ノイズ抑制電流Ｉｙ２は下述の式（１８）として示す。
Ｉｙ２＝-ｇｍ  Ｉｎ２Ｚ２／（１＋ｇｍＺ２）……………（１８）
【００５１】
式（１５）及び式（１８）に基づいて、ノイズ抑制電圧Ｖｒは下述の式（１９）として示す。
Ｖｒ＝-ｚ２ｇｍＩｎ２Ｚ２／（１＋ｇｍＺ２）……………（１９） 
【００５２】
式（１２）及び式（１９）に基づいて、第２バイアス電流源Ａ２の第２ノイズ電流Ｉｎ２のみを考慮し、入力バッファー２の出力端子のノイズ電圧Ｖｎは下述の式（２０）として示す。
Ｖｎ＝Ｖ２＋Ｖｒ＝Ｉｎ２ｚ２／（１＋ｇｍＺ２）………（２０）
よって、適切な第２インピーダンスＺ２及びトランスコンダクタＧが選択されると、ノイズ抑制電圧Ｖｒにより第２ノイズ電圧Ｖ２が有効的に抑制される。
【００５３】
入力バッファー２の出力端子Ｖｏｕｔのノイズは下述の式（２１）として示す。
【数１】
2019075772.tif 000003
Ｖｎｔは入力バッファー２の出力端子Ｖｏｕｔのノイズを示す。ＩｎＭ１は第１段フォロワ回路Ｍ１自体のノイズ電流を示す。ＩｎＭ２は第２段フォロワ回路Ｍ２自体のノイズ電流を示す。
【００５４】
式（２１）から明確に分かるように、第１バイアス電流源Ａ１の第１ノイズ電流Ｉｎ１により発生するノイズが有効的に除去され、第２バイアス電流源Ａ２の第２ノイズ電流Ｉｎ２により発生するノイズも有効的に抑制される。
【００５５】
上述のように、入力バッファー２は２つのフィードバック経路及び１つのフィードフォワード経路により入力バッファー２から出力されるノイズが確実に効果的に低下する。これにより、測定機器のＳＮ比も大幅に上昇する。
【００５６】
当然ながら、本実施形態は説明のための例示にすぎず、入力バッファー２の構造及び各部材の機能は全て実際の需要に応じて改変可能であり、本発明にその制限はない。
（実施例４）
【００５７】
図６は本発明の第４実施形態による入力バッファーを示す回路図である。入力バッファー２はノイズセンサ２３と、第１段回路２１と、第２段回路２２とを備える。
【００５８】
前述の実施形態との差異は、ノイズセンサ２３が第１インピーダンスＺ１のみを備える点である。上述の回路構造により、第１バイアス電流源Ａ１の第１ノイズ電流Ｉｎ１により発生する第１ノイズ電圧が有効的に除去される。然しながら、第２バイアス電流源Ａ２の第２ノイズ電流Ｉｎ２により発生する第２ノイズ電圧は有効的に抑制されない。
【００５９】
入力バッファー２の他の部材及びその機能は第３実施形態と相似するため再述しない。当然ながら、本実施形態は説明のための例示にすぎず、入力バッファー２の構造及び各部材の機能は全て実際の需要に応じて改変可能であり、本発明では制限しない。
（実施例５）
【００６０】
図７Ａは本発明の第５実施形態による入力バッファーを示す回路図である。入力バッファー２はノイズセンサ２３と、第１段回路２１と、第２段回路２２とを備える。
【００６１】
ノイズセンサ２３は第１インピーダンスＺ１及び第２インピーダンスＺ２を備える。第１インピーダンスＺ１は第２インピーダンスＺ２に直列接続される。第１インピーダンスＺ１の一端はノイズセンサ２３の第１検知端とし、第１インピーダンスＺ１の他端は第２インピーダンスＺ２の一端に接続されると共にノイズセンサ２３の第２検知端とし、第２インピーダンスＺ２の他端はノイズセンサの入力端とし、且つ動作電圧源Ｖｃｃに接続される。
【００６２】
第１段回路２１は第１段フォロワ回路Ｍ１及び第１バイアス電流源Ａ１を備える。第１段フォロワ回路Ｍ１はソースフォロワである。第１段フォロワ回路Ｍ１のドレイン（共通端子）はノイズセンサ２３の第２検知端に接続され、第１段フォロワ回路Ｍ１のソース（出力端子）は第１バイアス電流源Ａ１に接続される。
【００６３】
第２段回路２２は減算器であり、第２段フォロワ回路Ｍ２と、第２バイアス電流源Ａ２と、トランスコンダクタＧとを備える。第２段フォロワ回路Ｍ２はソースフォロワである。第２段フォロワ回路Ｍ２のドレイン（共通端子）はノイズセンサ２３の第２検知端に接続され、第２段フォロワ回路のソース（出力端子）は第１段フォロワ回路Ｍ１のゲート（入力端）及び第２バイアス電流源Ａ２に接続され、第２段フォロワ回路Ｍ２のゲート（入力端）は入力電圧源Ｖｉｎに接続される。トランスコンダクタＧの入力端は第１段フォロワ回路Ｍ１のドレイン及びノイズセンサ２３の第１検知端に接続され、トランスコンダクタＧの出力端子は第２段フォロワ回路Ｍ２のソース及び第２バイアス電流源Ａ２に接続される。
【００６４】
図７Ｂは本発明の第５実施形態による入力バッファー回路を示す概略図（一）である。第１バイアス電流源Ａ１により第１ノイズ電流Ｉｎ１が発生し、且つ第１ノイズ電流Ｉｎ１により第１段フォロワ回路Ｍ１のソースで第１ノイズ電圧Ｖ１が発生し、ノイズセンサ２３は第１ノイズ電流Ｉｎ１を検知すると共にノイズセンサ２３の第１検知端で第１電圧Ｖｙ１を発生させる。第１ノイズ電圧Ｖ１及び第１電圧Ｖｙ１は下述の式（２２）及び式（２３）として示す。
Ｖ１＝Ｉｎ１ｚ１……………………………………（２２）
Ｖｙ１＝Ｖｘ＋Ｉｎ１Ｚ１……………………………（２３）
Ｖ１は第１ノイズ電圧を示す。Ｉｎ１は第１ノイズ電流を示す。Ｖｙ１はノイズセンサ２３の第１検知端の電圧（即ち、第１電圧）を示す。Ｖｘはノイズセンサ２３の第２検知端の電圧を示す。ｚ１は第１段フォロワ回路Ｍ１の出力インピーダンスを示す。Ｚ１は第１インピーダンスＺ１のインピーダンスを示す。
【００６５】
ノイズセンサ２３の第２検知端の電圧Ｖｘは下述の式（２４）として示す。
Ｖｘ＝ＩｘＺ２…………………………………（２４）
Ｉｘは第２インピーダンスＺ２を流れる電流を示す。Ｚ２は第２インピーダンスＺ２のインピーダンスを示す。
【００６６】
トランスコンダクタＧにより第１電圧Ｖｙ１がノイズ除去電流Ｉｙ１に変換され、且つノイズ除去電流Ｉｙ１が第２段フォロワ回路Ｍ２のソースに負帰還され、第２段フォロワ回路Ｍ２のソースでノイズ除去電圧Ｖｃが発生する。
ノイズ除去電流Ｉｙ１及びノイズ除去電圧Ｖｃは下述の式（２５）及び式（２６）として示す。
Ｉｙ１＝-ｇｍＶｙ１………………………………………（２５）
Ｖｃ＝Ｉｙ１ｚ１…………………………………………（２６）
Ｉｙ１はノイズ除去電流を示す。-ｇｍはトランスコンダクタＧのトランスコンダクタンスを示す。Ｖｃはノイズ除去電圧を示す。ｚ１は第１段フォロワ回路Ｍ１の出力インピーダンスを示す。
【００６７】
式（２５）に基づいて、第２インピーダンスＺ２を流れる電流Ｉｘは下述の式（２７）として示す。
Ｉｘ＝Ｉｎ１-ｇｍＶｙ１…………………………………（２７）
【００６８】
式（２３）、式（２４）及び式（２７）に基づいて、第１電圧Ｖｙ１は下述の式（２８）として示す。
Ｖｙ１＝ Ｉｎ１-ｇｍＶｙ１）Ｚ２＋Ｉｎ１Ｚ１＝Ｉｎ１（Ｚ１＋Ｚ２）-ｇｍＺ２Ｖｙ１＝Ｉｎ１（Ｚ１＋Ｚ２）／（１＋ｇｍＺ２）………（２８）
【００６９】
式（２５）及び式（２８）に基づいて、ノイズ除去電流Ｉｙ１は下述の式（２９）として示す。
Ｉｙ１＝-ｇｍ  Ｉｎ１（Ｚ１＋Ｚ２）／（１＋ｇｍＺ２）………（２９）
【００７０】
式（２６）及び式（２９）に基づいて、ノイズ除去電圧Ｖｃは下述の式（３０）として示す。
Ｖｃ＝-ｇｍ  Ｉｎ１（Ｚ１＋Ｚ２）ｚ２／（１＋ｇｍＺ２）………（３０） 
【００７１】
上述のように、第１バイアス電流源Ａ１の第１ノイズ電流Ｉｎ１のみを考慮し、入力バッファー２の出力端子のノイズ電圧Ｖｎは下述の式（３１）として示す。
Ｖｎ＝Ｖ１＋Ｖｃ＝［ｚ１-ｇｍ（Ｚ１＋Ｚ２）ｚ２／（１＋ｇｍＺ２）］Ｉｎ１…（３１） 
【００７２】
よって、適切な第１インピーダンスＺ１、第２インピーダンスＺ２及びトランスコンダクタＧが選択されると、ノイズ電圧Ｖｎが０に等しくなり、よってノイズ除去電圧Ｖｃにより第１ノイズ電圧Ｖ１が完全に除去される。
【００７３】
図７Ｃは本発明の第５実施形態による入力バッファー回路を示す概略図（二）である。第２バイアス電流源Ａ２により第２ノイズ電流Ｉｎ２が発生し、且つ第２段フォロワ回路Ｍ２のソースに第２ノイズ電圧Ｖ２が発生し、ノイズセンサ２３は第２ノイズ電流Ｉｎ２を検知すると共にノイズセンサ２３の第１検知端で第２電圧Ｖｙ２を発生させる。第２ノイズ電圧Ｖ２及び第２電圧Ｖｙ２は下述の式（３２）及び式（３３）として示す。
Ｖ２＝Ｉｎ２ｚ２………………………………（３２）
Ｖｙ２＝Ｖｘ＝ＩｘＺ２………….………………（３３）
Ｖ２は第２ノイズ電圧を示す。Ｉｎ２は第２ノイズ電流を示す。Ｖｙ２はノイズセンサ２３の第１検知端の電圧（即ち、第２電圧）を示す。Ｖｘはノイズセンサ２３の第２検知端の電圧を示す。ｚ２は第２段フォロワ回路Ｍ２の出力インピーダンスを示す。Ｚ２は第２インピーダンスＺ２のインピーダンスを示す。
【００７４】
ノイズ抑制電流Ｉｙ２及びノイズ抑制電圧Ｖｒは下述の式（３４）及び式（３５）として示す。
Ｉｙ２＝-ｇｍＶｙ２…………………………（３４）
Ｖｒ＝Ｉｙ２ｚ２……………………………（３５）
【００７５】
式（３４）に基づいて、第２段フォロワ回路Ｍ２及び第２インピーダンスＺ２を流れる電流Ｉｘは下述の式（３６）として示す。
Ｉｘ＝Ｉｎ２-ｇｍＶｙ２………………………（３６）
【００７６】
式（３３）及び式（３４）に基づいて、第２電圧Ｖｙ２は下述の式（３７）として示す。
Ｖｙ２＝Ｖｘ＝（Ｉｎ２-ｇｍＶｙ２）Ｚ２＝Ｉｎ２Ｚ２-ｇｍＺ２Ｖｙ２＝Ｉｎ２Ｚ２／（１＋ｇｍＺ２）………（３７）
【００７７】
式（３４）及び式（３７）に基づいて、ノイズ抑制電流Ｉｙ２は下述の式（３８）として示す。
Ｉｙ２＝-ｇｍ  Ｉｎ２Ｚ２／（１＋ｇｍＺ２）………………（３８）
【００７８】
式（３５）及び式（３８）に基づいて、ノイズ抑制電圧Ｖｒは下述の式（３９）として示す。
Ｖｒ＝-ｚ２ｇｍＩｎ２Ｚ２／（１＋ｇｍＺ２）………………（３９） 
【００７９】
式（３２）及び式（３９）に基づいて、第２バイアス電流源Ａ２の第２ノイズ電流Ｉｎ２のみを考慮し、入力バッファー２の出力端子のノイズ電圧Ｖｎは下述の式（４０）として示す。
Ｖｎ＝Ｖ２＋Ｖｒ＝Ｉｎ２ｚ２／（１＋ｇｍＺ２）……………（４０）
【００８０】
よって、適切な第２インピーダンスＺ２及びトランスコンダクタＧが選択されると、ノイズ抑制電圧Ｖｒにより第２ノイズ電圧Ｖ２が有効的に抑制される。
【００８１】
入力バッファー２の出力端子Ｖｏｕｔのノイズは下述の式（４１）として示す。
【数２】
2019075772.tif 000004
Ｖｎｔは入力バッファー２の出力端子Ｖｏｕｔのノイズを示す。ＩｎＭ１は第１段フォロワ回路Ｍ１自体のノイズ電流を示す。ＩｎＭ２は第２段フォロワ回路Ｍ２自体のノイズ電流を示す。
【００８２】
式（４１）から明らかなように、第１バイアス電流源Ａ１の第１ノイズ電流Ｉｎ１により発生するノイズが有効的に除去され、第２バイアス電流源Ａ２の第２ノイズ電流Ｉｎ２により発生するノイズも有効的に抑制される。
【００８３】
上述のように、入力バッファー２は２つのフィードバック経路及び１つのフィードフォワード経路により入力バッファーから出力されるノイズを確実に有効的に低下させる。これにより、測定機器のＳＮ比が大幅に提升する。
【００８４】
当然ながら、本実施形態は説明のための例示にすぎず、入力バッファー２の構造及び各部材の機能は全て実際の需要に応じて改変可能であり、本発明では制限されない。
【００８５】
ちなみに、従来の入力バッファーではノイズを有効的に除去できないため、ノイズが測定機器の出力端子に直接作用してしまい、測定機器のＳＮ比が大幅に低下した。反対に、本発明の実施形態に係る入力バッファーは、ノイズセンサにより第１段回路のバイアス電流源が発生させるノイズが検知され、且つ減算器により上述のノイズが除去される。また、入力バッファーは、ノイズセンサにより第２段回路のバイアス電流源が発生させるノイズが更に検知され、且つ減算器により上述のノイズが抑制される。これにより、入力バッファーにより入力バッファーから出力されるノイズが有効的に低減され、測定機器のＳＮ比が上昇する。
【００８６】
また、一部の従来の入力バッファーでは低ノイズの抵抗バイアス回路またはソースデジェネレーションバイアス回路が採用されるが、然しながら、上述の回路構造には高い動作電圧が必要であり、低電圧の集積回路プロセスへの適用に適さず、且つ個別部材が採用されるため測定機器の帯域幅に重大な影響が及んだ。翻って、本発明の実施形態に係る入力バッファーは、抵抗バイアス回路やソースデジェネレーションバイアス回路が不要であり、よって駆動にも高い動作電圧が不要であり、低電圧の集積回路プロセスへ適用可能である。また、個別部材が採用されないため測定機器の帯域幅も低下せず、ゆえに測定機器のコストも有効的に低下し、且つ好ましい効果を達成させる。
【００８７】
また、本発明の一実施形態によれば、入力バッファーの減算器はノイズを有効的に除去させるのみならず、入力バッファーの第２段回路と統合されて直接入力バッファーの第２段回路とするため、入力バッファーのコストが更に削減される。
【００８８】
さらに、本発明のある実施形態では、入力バッファーには２段の回路が直列接続される隔離式構造が採用されるため、良好な隔離性が提供され、測定機器の効果が更に向上する。
（実施例６）
【００８９】
図８は本発明の第６実施形態による入力バッファーを示す回路図である。入力バッファー２はノイズセンサ２３と、第１段回路２１と、第２段回路２２とを備える。
【００９０】
前述の実施形態との差異は、ノイズセンサ２３が第１インピーダンスＺ１を備える点のみである。上述の回路構造により第１バイアス電流源Ａ１の第１ノイズ電流Ｉｎ１により発生する第１ノイズ電圧が有効的に除去される。然しながら、第２バイアス電流源Ａ２の第２ノイズ電流Ｉｎ２により発生する第２ノイズ電圧は有効的に抑制できない。
【００９１】
入力バッファー２他の部材及び機能は第５実施形態と相似するため詳述は省く。当然ながら、本実施形態は説明のための例示にすぎず、入力バッファー２の構造及び各部材の機能は全て実際の需要に応じて改変可能であり、本発明では制限しない。
（実施例７）
【００９２】
図９は本発明の第７実施形態による入力バッファーを示す回路図である。入力バッファー２はノイズセンサ２３と、第１段回路２１と、第２段回路２２とを備える。
【００９３】
第２段回路２２は第２段フォロワ回路Ｍ２と、ＡＣカップリング（AC coupling）ＡＣと、トランジスタＭ３とを備える。第２段フォロワ回路Ｍ２はソースフォロワである。ＡＣカップリングＡＣ及びトランジスタＭ３の組み合わせによりトランジスタＭ３を第２バイアス電流源とするのみならず、同時にトランスコンダクタとすることによりトランスコンダクタンス（-gm）が提供される。
【００９４】
入力バッファー２の他の部材及び機能は第２実施形態と相似するため詳述は省く。当然ながら、本実施形態は説明のための例示にすぎず、入力バッファー２の構造及び各部材の機能は全て実際の需要に応じて改変可能であり、本発明ではその制限はない。
（実施例８）
【００９５】
図１０は本発明の第８実施形態による入力バッファーを示す回路図である。入力バッファー２はノイズセンサ２３と、第１段回路２１と、第２段回路２２とを備える。
【００９６】
第２段回路２２は第２段フォロワ回路Ｍ２と、ＡＣカップリング（AC coupling）ＡＣと、トランジスタＭ３とを備える。第２段フォロワ回路Ｍ２はソースフォロワである。ＡＣカップリングＡＣ及びトランジスタＭ３の組み合わせによりトランジスタＭ３を第２バイアス電流源とするのみならず、同時にトランスコンダクタとすることによりトランスコンダクタンス（-gm）が提供される。
【００９７】
入力バッファー２の他の部材及び機能は第３実施形態と相似するため詳述は省く。当然ながら、本実施形態は説明のための例示にすぎず、入力バッファー２の構造及び各部材の機能は全て実際の需要に応じて改変可能であり、本発明では制限しない。
（実施例９）
【００９８】
図１１は本発明の第９実施形態による入力バッファーを示す回路図である。
入力バッファー２はノイズセンサ２３と、第１段回路２１と、第２段回路２２とを備える。
【００９９】
第２段回路２２は第２段フォロワ回路Ｍ２と、トランスコンダクタＧと、トランジスタＭ３と、第３インピーダンスＺ３とを備える。第２段フォロワ回路Ｍ２はソースフォロワである。第３インピーダンスＺ３は第２バイアス電流源とし、且つトランジスタＭ３は断路機として第２バイアス電流源の隔離性を高める。
【０１００】
当然ながら、本実施形態は説明のための例示にすぎず、入力バッファー２の構造及び各部材の機能は全て実際の需要に応じて改変可能であり、本発明を制限するものではない。
【０１０１】
以上を総合すると、本発明の実施形態に係る入力バッファーは、ノイズセンサにより第１段回路のバイアス電流源が発生させるノイズが検知され、且つ減算器により上述のノイズが除去される。これにより、入力バッファーから出力されるノイズが有効的に低下し、測定機器のＳＮ比が有効的に上昇する。
【０１０２】
本発明の一実施形態によれば、入力バッファーは、ノイズセンサにより第２段回路のバイアス電流源が発生させるノイズが検知され、且つ減算器により上述のノイズが抑制される。よって、入力バッファーから出力されるノイズが有効的に低下し、測定機器のＳＮ比も更に上昇する。
【０１０３】
なお、本発明の一実施形態によれば、入力バッファーの減算器はノイズを有効的に除去させるのみならず、入力バッファーの第２段回路と統合されて直接入力バッファーの第２段回路とすることで、入力バッファーのコストが効果的に削減される。
【０１０４】
また、本発明の一実施形態によれば、入力バッファーは駆動に高い動作電圧が不要である。よって、低電圧の集積回路プロセスに適用可能であり、入力バッファーのコストが更に低下する。
【０１０５】
また、本発明の一実施形態によれば、入力バッファーの駆動には高い動作電圧が不要である。よって、個別部材も不要であり、測定機器の帯域幅が低下せず、測定機器が好ましい効果を達成させる。
【０１０６】
さらに、本発明のある実施形態では、入力バッファーには２段の回路が直列接続される隔離式構造が採用される。これにより、良好な隔離性が提供され、測定機器の効果が更に向上する。
【０１０７】
以上、本発明の実施形態について図面を参照して詳述したが、具体的な構成はこの実施形態に限られるものではなく、本発明の要旨を逸脱しない範囲の設計変更等も含まれる。
【符号の説明】
【０１０８】
１  従来の入力バッファー
１１  第１段回路  
１２  第２段回路
２  入力バッファー
２１  第１段回路
２２  第２段回路
Ｓ  減算器
Ａ２  第２バイアス電流源
２３  ノイズセンサ
Ｚ１  第１インピーダンス
Ｚ２  第２インピーダンス
Ｚ３  第３インピーダンス
Ｍ１  第１段フォロワ回路
Ｍ２  第２段フォロワ回路
Ａ１  第１バイアス電流源
Ａ２  第２バイアス電流源
ＡＣ  ＡＣカップリング
Ｍ３  第３トランジスタ
Ｖｉｎ  入力電圧源
Ｖｃｃ  動作電圧源
Ｖｏｕｔ  出力端子
Ｉｎ１  電流
Ｉｎ２  電流
ＩｎＭ１  電流
ＩｎＭ２  電流
Ｉｙ１  電流
Ｉｙ２  電流
Ｉｘ  電流
Ｖｘ  電圧
Ｖｙ１  電圧
Ｖｙ２  電圧
Ｖ１  電圧
Ｖ２  電圧
Ｓ３１  ステップ
Ｓ３２  ステップ
Ｓ３３  ステップ
Ｓ３４  ステップ
【図１】
2019075772.tif 000005
【図２】
2019075772.tif 000006
【図３】
2019075772.tif 000007
【図４】
2019075772.tif 000008
【図５Ａ】
2019075772.tif 000009
【図５Ｂ】
2019075772.tif 000010
【図５Ｃ】
2019075772.tif 000011
【図６】
2019075772.tif 000012
【図７Ａ】
2019075772.tif 000013
【図７Ｂ】
2019075772.tif 000014
【図７Ｃ】
2019075772.tif 000015
【図８】
2019075772.tif 000016
【図９】
2019075772.tif 000017
【図１０】
2019075772.tif 000018
【図１１】
2019075772.tif 000019